(57)【要約】【課題】高い臨場感で検査用画像を呈示することができ、しかも被検者に対し不必要な刺激を与えにくい脳検査用の画像呈示光学系、及び脳検査用の磁気共鳴検査システムを提供する。【解決手段】被検者の頭部の周囲を部分的に覆う頭部コイル（１４）と前記頭部コイルの周囲を覆う筒状のボア（１１）とを備えた脳検査用の磁気共鳴検査装置に適用され、前記ボアの外部からそのボアの開口部に向けて表示された検査用画像を前記被検者の眼前に呈示するための脳検査用の画像呈示光学系（１５）であって、前記検査用画像と前記頭部コイルとの間に配置され、その検査用画像の実像を形成する対物レンズ（２０Ｌ，２０Ｒ）と、前記頭部コイルと前記頭部との間に配置され、前記実像の形成位置の近傍に焦点を有した接眼レンズ（３０Ｌ，３０Ｒ）とを備えたことを特徴とする。【選択図】      図２
2005192908.tif 000002
【特許請求の範囲】
【請求項１】
被検者の頭部の周囲を部分的に覆う頭部コイルと前記頭部コイルの周囲を覆う筒状のボアとを備えた脳検査用の磁気共鳴検査システムに適用され、前記ボアの外部からそのボアの開口部に向けて表示された検査用画像を前記被検者の眼前に呈示するための脳検査用の画像呈示光学系であって、
前記検査用画像と前記頭部コイルとの間に配置され、その検査用画像の実像を形成する対物レンズと、
前記頭部コイルと前記頭部との間に配置され、前記実像の形成位置の近傍に焦点を有した接眼レンズと
を備えたことを特徴とする脳検査用の画像呈示光学系。
【請求項２】
請求項１に記載の脳検査用の画像呈示光学系において、
前記対物レンズの配置位置は、前記頭部コイルと前記ボアとの間である
ことを特徴とする脳検査用の画像呈示光学系。
【請求項３】
請求項１又は請求項２に記載の脳検査用の画像呈示光学系において、
少なくとも前記接眼レンズ及び前記対物レンズは、前記被検者の左右の眼に対しそれぞれ用意され、
前記検査用画像から射出し前記被検者の左眼用の前記対物レンズに入射する光束と、前記検査用画像から射出し前記被検者の右眼用の前記対物レンズに入射する光束とは、光路を一部共有している
ことを特徴とする脳検査用の画像呈示光学系。
【請求項４】
請求項３に記載の脳検査用の画像呈示光学系において、
前記検査用画像から前記左眼用の前記対物レンズに至る光軸と、前記検査用画像から前記被検者の右眼用の前記対物レンズに至る光軸とは、少なくとも１回交差している
ことを特徴とする脳検査用の画像呈示光学系。
【請求項５】
請求項４に記載の脳検査用の画像呈示光学系において、
前記交差する箇所の少なくとも１つは、前記ボアの前記開口部の近傍である
ことを特徴とする脳検査用の画像呈示光学系。
【請求項６】
請求項３〜請求項５の何れか一項に記載の脳検査用の画像呈示光学系において、
眼幅調整可能に構成されている
ことを特徴とする脳検査用の画像呈示光学系。
【請求項７】
請求項３〜請求項６の何れか一項に記載の脳検査用の画像呈示光学系において、
視度調整可能に構成されている
ことを特徴とする脳検査用の画像呈示光学系。
【請求項８】
被検者の頭部の周囲を部分的に覆う頭部コイルと前記頭部コイルの周囲を覆う筒状のボアとを備えた脳検査用の磁気共鳴検査システムにおいて、
請求項１〜請求項７の何れか一項に記載の脳検査用の画像呈示光学系を備えた
ことを特徴とする脳検査用の磁気共鳴検査システム。
【請求項９】
請求項８に記載の脳検査用の磁気共鳴検査システムにおいて、
前記検査用画像を表示する表示器をさらに備えた
ことを特徴とする脳検査用の磁気共鳴検査システム。
【発明の詳細な説明】
【技術分野】
【０００１】
本発明は、脳検査用の磁気共鳴検査システムに適用される脳検査用の画像呈示光学系、及び脳検査用の磁気共鳴検査システムに関する。
【背景技術】
【０００２】
脳検査用の磁気共鳴検査システム（以下、単に「ＭＲＩ検査システム」という。）がある（特許文献１，２など。）。
近年、機能ＭＲＩなどと呼ばれる高速度撮影可能なものも登場し、外部から刺激を与えたときに生じる被検者の脳の変化までもが観察可能になった。このようなＭＲＩ検査システムによれば、脳に与えた刺激と脳の変化との相関を調べて脳の研究や医療に役立てることができる。
【０００３】
ここで、刺激の１つである視覚刺激は、被検者の眼に対し検査用画像を呈示することによって簡単に与えられる。
但し、電子機器である一般のディスプレイは、強力な磁場が与えられる被検者の側に直接配置することはできないので、遠隔位置に配置される。そのディスプレイに表示された検査用画像は、非電子機器である光学系（画像呈示光学系）によって被検者の近傍に投影される。この画像呈示光学系は、特許文献１，２に記載のＭＲＩ検査システムにも備えられる。
【０００４】
因みに、特許文献１に記載の画像呈示光学系は、被検者の眼前にスクリーンを配置し、そのスクリーン上に、検査用画像を遠隔位置から投影するタイプである。
また、特許文献２に記載の画像呈示光学系は、被検者の眼の近傍から被検者の身体に沿うように接眼レンズ及び対物レンズを配置し、それらのレンズで検査用画像を被検者の眼前に結像させるタイプである。
【特許文献１】米国特許５１３４３７３号明細書
【特許文献２】米国特許５３３９８１３号明細書
【発明の開示】
【発明が解決しようとする課題】
【０００５】
ところで、ＭＲＩ検査システムでは、正確な検査のために、検査用画像をなるべく高い臨場感で呈示する必要がある。また、正確な検査のためには、被験者の心理状態が日常生活中と略同じであることが望ましく、そのために、検査中に被験者に対する圧迫感などの不必要な刺激は、できるだけ減らされる必要がある。
しかし、特許文献１に記載のＭＲＩ検査システムでは、配置スペースの関係上、スクリーンのサイズをあまり大きくすることはできないので、広い視野を得にくく、臨場感に欠ける。
【０００６】
一方、特許文献２に記載のＭＲＩ検査システムでは、被検者の眼の近傍にレンズが配置されるので広い視野で検査用画像を呈示することも可能だが、レンズの鏡筒の分だけ被検者の身体の周囲の空間が狭くなるので、被検者に不必要な刺激を与える可能性がある。
しかも、対物レンズの鏡筒のエッジが被検者の身体の近傍にあり、被検者の被服や身体によって対物レンズに入射する光束が蹴られ易いので、対物レンズの視野（検査用画像側の視野）は狭くなり、検査用画像のサイズを小さくせざるを得ないのが現状である。この場合、臨場感が損なわれる虞がある。
【０００７】
本発明は、以上の問題に鑑みてなされたもので、高い臨場感で検査用画像を呈示することができ、しかも被検者に対し不必要な刺激を与えにくい脳検査用の画像呈示光学系、及び脳検査用の磁気共鳴検査システムを提供することを目的とする。
【課題を解決するための手段】
【０００８】
請求項１に記載の脳検査用の画像呈示光学系は、被検者の頭部の周囲を部分的に覆う頭部コイルと前記頭部コイルの周囲を覆う筒状のボアとを備えた脳検査用の磁気共鳴検査システムに適用され、前記ボアの外部からそのボアの開口部に向けて表示された検査用画像を前記被検者の眼前に呈示するための脳検査用の画像呈示光学系であって、前記検査用画像と前記頭部コイルとの間に配置され、その検査用画像の実像を形成する対物レンズと、前記頭部コイルと前記頭部との間に配置され、前記実像の形成位置の近傍に焦点を有した接眼レンズとを備えたことを特徴とする。
【０００９】
請求項２に記載の脳検査用の画像呈示光学系は、請求項１に記載の脳検査用の画像呈示光学系において、前記対物レンズの配置位置は、前記頭部コイルと前記ボアとの間であることを特徴とする。
請求項３に記載の脳検査用の画像呈示光学系は、請求項１又は請求項２に記載の脳検査用の画像呈示光学系において、少なくとも前記接眼レンズ及び前記対物レンズは、前記被検者の左右の眼に対しそれぞれ用意され、前記検査用画像から射出し前記被検者の左眼用の前記対物レンズに入射する光束と、前記検査用画像から射出し前記被検者の右眼用の前記対物レンズに入射する光束とは、光路を一部共有していることを特徴とする。
【００１０】
請求項４に記載の脳検査用の画像呈示光学系は、請求項３に記載の脳検査用の画像呈示光学系において、前記検査用画像から前記左眼用の前記対物レンズに至る光軸と、前記検査用画像から前記被検者の右眼用の前記対物レンズに至る光軸とは、少なくとも１回交差していることを特徴とする。
請求項５に記載の脳検査用の画像呈示光学系は、請求項４に記載の脳検査用の画像呈示光学系において、前記交差する箇所の少なくとも１つは、前記ボアの前記開口部の近傍であることを特徴とする。
【００１１】
請求項６に記載の脳検査用の画像呈示光学系は、請求項３〜請求項５の何れか一項に記載の脳検査用の画像呈示光学系において、眼幅調整可能に構成されていることを特徴とする。
請求項７に記載の脳検査用の画像呈示光学系は、請求項３〜請求項６の何れか一項に記載の脳検査用の画像呈示光学系において、視度調整可能に構成されていることを特徴とする。
【００１２】
請求項８に記載の脳検査用の磁気共鳴検査システムは、被検者の頭部の周囲を部分的に覆う頭部コイルと前記頭部コイルの周囲を覆う筒状のボアを備えた脳検査用の磁気共鳴検査システムと、請求項１〜請求項７の何れか一項に記載の脳検査用の画像呈示光学系とを備えたことを特徴とする。
請求項９に記載の磁気共鳴検査システムは、請求項８に記載の脳検査用の磁気共鳴検査システムにおいて、前記検査用画像を表示する表示器をさらに備えたことを特徴とする。
【発明の効果】
【００１３】
本発明によれば、高い臨場感で画像を呈示することができ、しかも被検者に対し不必要な刺激を与えにくい脳検査用の画像呈示光学系、及び脳検査用の磁気共鳴検査システムが実現する。
【発明を実施するための最良の形態】
【００１４】
以下、図１、図２、図３、図４、図５を参照して本発明の実施形態について説明する。
本実施形態は、ＭＲＩ検査システム（請求項における脳検査用の磁気共鳴検査システムに対応する。）の実施形態である。
先ず、ＭＲＩ検査システムの全体構成について説明する。
このＭＲＩ検査システムには、図１に示すように、ボア１１、支持台１２、頭部コイル１４、液晶ディスプレイ（請求項における表示器に対応する。）１６Ｌ，１６Ｒ、画像呈示ユニット（請求項における脳検査用の画像呈示光学系に対応する。）１５などが備えられる。なお、これらの各要素は、ＭＲＩ検査に専用の検査室に収められており、操作室などと呼ばれる別室からオペレータによって遠隔操作される。
【００１５】
支持台１２は、仰向け姿勢の被検者１３を支持し、円筒状のボア１１の内部に図１中矢印のとおり被検者１３を搬送するものである。
頭部コイル１４は、複数の直線状のアンテナを図１に示すごとく円筒状に並べて配置してなり、被検者１３の頭部を覆う姿勢で支持台１２に対し固定される。
頭部コイル１４の互いに隣接するアンテナ同士の間は、間隙が設けられている。
【００１６】
一方の液晶ディスプレイ１６Ｌの表示画面１６Ｌ’には、被検者１３の左眼に呈示すべき検査用画像が表示される。
他方の液晶ディスプレイ１６Ｒの表示画面１６Ｒ’には、被検者１３の右眼に呈示すべき検査用画像が表示される。
これら液晶ディスプレイ１６Ｌ，１６Ｒは、ボア１１の外部に、表示画面１６Ｌ’，１６Ｒ’をそれぞれボア１１の開口部１１ａに向けた姿勢で被検者１３から見て左右対称に並べて配置される。
【００１７】
なお、液晶ディスプレイ１６Ｌ，１６Ｒは電子機器なので、ボア１１の周辺の磁場に影響を与えたりその磁場から影響を受けたりしないよう、ボア１１から十分に離れた位置に配置される。
画像呈示ユニット１５は、頭部コイル１４のうち被検者１３の顔面に対向する箇所に取り付けられる。
【００１８】
次に、画像呈示ユニット１５の内部の要素について説明する。なお、以下では、被検者１３がボア１１内に搬送された状態について説明する。
画像呈示ユニット１５には、図２に示すとおり、液晶ディスプレイ１６Ｌ，１６Ｒの側から順に、対物部１５Ａ，接眼部１５Ｂが配置される。
対物部１５Ａには、図３に示すように、表示画面１６Ｌ’の実像（縮小像）を形成する対物レンズ（左眼用の対物レンズ）２０Ｌが配置される（符号２０Ｌ−１，２０Ｌ−２は、左眼用の対物レンズ２０Ｌの第一群，第二群である。）。
【００１９】
また、対物部１５Ａには、表示画面１６Ｒ’の実像（縮小像）を形成する対物レンズ（右眼用の対物レンズ）２０Ｒが配置される（符号２０Ｒ−１，２０Ｒ−２は、右眼用の対物レンズ２０Ｒの第一群，第二群である。）。
画像呈示ユニット１５内には、接眼部１５Ｂ内の左眼用の接眼レンズ３０Ｌ（下記）に対し左眼用の対物レンズ２０Ｌによる像を導くためのミラー２８Ｌ、接眼部１５Ｂ内の右眼用の接眼レンズ３０Ｒ（下記）に対し右眼用の対物レンズ２０Ｒによる像を導くためのミラー２８Ｒなども配置される。
【００２０】
接眼部１５Ｂにおいて、左眼用の接眼レンズ３０Ｌは、被検者１３の左眼に対向する位置に配置される。左眼用の接眼レンズ３０Ｌは、左眼用の対物レンズ２０Ｌによる実像（縮小像）の形成位置に焦点を有する。この接眼レンズ３０Ｌにより、被検者１３の左眼には実像（縮小像）が拡大されて見える。
接眼部１５Ｂにおいて、右眼用の接眼レンズ３０Ｒは、被検者１３の右眼に対向する位置に配置される。右眼用の接眼レンズ３０Ｒは、右眼用の対物レンズ２０Ｒによる実像（縮小像）の形成位置に焦点を有する。この接眼レンズ３０Ｒにより、被検者１３の右眼には実像（縮小像）が拡大されて見える。
【００２１】
これら左眼用の接眼レンズ３０Ｌと右眼用の接眼レンズ３０Ｒとは、被検者１３から見て左右対称に配置される。
ここで、図２に示すとおり、対物レンズ２０Ｌ，２０Ｒは、何れも頭部コイル１４とボア１１との間隙に位置している。接眼レンズ３０Ｌ，３０Ｒのみが、頭部コイル１４と被検者１３との間隙に位置している。
【００２２】
また、対物レンズ２０Ｌ，２０Ｒによる実像（縮小像）の光軸方向の形成位置は、それぞれ頭部コイル１４の近傍Ｅ１に選定される。しかも、対物レンズ２０Ｌ，２０Ｒの縮小倍率は、それら実像（縮小像）の幅が頭部コイル１４のアンテナ同士の間隙（図１符号Ｅ２）よりも小さくなるよう選定される。
これによって、左眼用の対物レンズ２０Ｌから射出した光束は、アンテナによって蹴られることなく左眼用の接眼レンズ３０Ｌに入射し、右眼用の対物レンズ２０Ｒから射出した光束は、アンテナによって蹴られることなく右眼用の接眼レンズ３０Ｒに入射する。
【００２３】
また、この画像呈示ユニット１５には、図３に示すように、液晶ディスプレイ１６Ｌの表示画面１６Ｌ’から左眼用の対物レンズ２０Ｌに至る光軸と、液晶ディスプレイ１６Ｒの表示画面１６Ｒ’から右眼用の対物レンズ２０Ｒに至る光軸とを交差させるために、ミラー２４Ｒ，２５Ｒ，２４Ｌ，２５Ｌが配置される（ここでは、交差回数が２回であるためミラーの数は４となっている。また、図３では、描画スペースの関係で、図の上下方向よりも左右方向を短く描いた。）。
【００２４】
液晶ディスプレイ１６Ｌの表示画面１６Ｌ’からの射出光束は、ミラー２４Ｌ，２５Ｌを経て対物レンズ２０Ｌに入射する。液晶ディスプレイ１６Ｒの表示画面１６Ｒ’からの射出光束は、ミラー２４Ｒ，２５Ｒを経て対物レンズ２０Ｒに入射する。
このうち、ミラー２４Ｌへの入射光路とミラー２４Ｒへの入射光路とが交差し、ミラー２４Ｌからの射出光路とミラー２４Ｒからの射出光路とが交差している。
【００２５】
これによって、液晶ディスプレイ１６Ｌの表示画面１６Ｌ’から対物レンズ２０Ｌに入射する光束と、液晶ディスプレイ１６Ｒの表示画面１６Ｒ’から対物レンズ２０Ｒに入射する光束とは、光路を一部共有することとなる。
また、交差箇所の１つ（図３の液晶ディスプレイ側の交差箇所）は、ボア１１の開口部１１の近傍Ｅ３（図１，図２参照）に位置している。よって、２つの光束は、開口部１１ａ（図１，図２参照）の近傍Ｅ３で光路を共用する。
【００２６】
よって、図４に示すとおり、限られた幅Ｅ４しかないボア１１の開口部１１ａから、より多くの光線を対物レンズ２０Ｌ，２０Ｒのそれぞれに入射させることができる。
また、この画像呈示ユニット１５には、眼幅調整機能と視度調整機能とが付与されている。
次に、眼幅調整機能について図３、図５を用いて説明する。なお、図５では、描画スペースの関係で、図の上下方向よりも左右方向を短く描いた。
【００２７】
画像呈示ユニット１５の対物部１５Ａ内の左眼用の対物レンズ２０Ｌは、図３、図５に示すように、２つのレンズ群、すなわち第一群２０Ｌ−１，第二群２０Ｌ−２に分離されている。
第一群２０Ｌ−１は、表示画面１６Ｌ’からの射出光束を平行光束に変換する。第二群２０Ｌ−２は、その平行光束を結像する。
【００２８】
第一群２０Ｌ−１と、第二群２０Ｌ−２との間には、互いに平行に向かい合ったミラー２６Ｌ，２７Ｌが挿入されている。
第一群２０Ｌ−１から射出した平行光束は、ミラー２６Ｌによって９０°折り曲げられた後、ミラー２７Ｌによって−９０°折り曲げられ、第二群２０Ｌ−２及びミラー２８Ｌを介して対物部１５Ａを射出し、接眼部１５Ｂの接眼レンズ３０Ｌに入射する。
【００２９】
このうち、ミラー２７Ｌ、第二群２０Ｌ−２、ミラー２８Ｌ、及び接眼レンズ３０Ｌは、ユニット化されている（つまり、共通の部材に固定されている。以下、「ユニットＵＬ」とする。）。
ユニットＵＬは、ミラー２６Ｌとミラー２７Ｌとの間の平行光束の光路長のみが変化する方向（つまり被検者１３の左右方向）に、ミラー２７Ｌ，第二群２０Ｌ−２，ミラー２８Ｌ，接眼レンズ３０Ｌの位置関係を保ったまま移動可能である。
【００３０】
つまり、焦点調節を必要とすることなく、接眼レンズ３０Ｌを眼幅調整の方向に移動させることが可能である。
同様に、画像呈示ユニット１５の対物部１５Ａ内の右眼用の対物レンズ２０Ｒは、図３、図５に示すように、２つのレンズ群、すなわち第一群２０Ｒ−１，第二群２０Ｒ−２に分離されている。
【００３１】
第一群２０Ｒ−１は、表示画面１６Ｒ’からの射出光束を平行光束に変換する。第二群２０Ｒ−２は、その平行光束を結像する。
第一群２０Ｒ−１と、第二群２０Ｒ−２との間には、互いに平行に向かい合ったミラー２６Ｒ，２７Ｒが挿入されている。
第一群２０Ｒ−１から射出した平行光束は、ミラー２６Ｒによって９０°折り曲げられた後、ミラー２７Ｒによって−９０°折り曲げられ、第二群２０Ｒ−２及びミラー２８Ｒを介して対物部１５Ａを射出し、接眼部１５Ｂの接眼レンズ３０Ｒに入射する。
【００３２】
このうち、ミラー２７Ｒ、第二群２０Ｒ−２、ミラー２８Ｒ、及び接眼レンズ３０Ｒは、ユニット化されている（つまり、共通の部材に固定されている。以下、「ユニットＵＲ」とする。）。
ユニットＵＲは、ミラー２６Ｒとミラー２７Ｒとの間の平行光束の光路長のみが変化する方向（つまり被検者１３の左右方向）に、ミラー２７Ｒ，第二群２０Ｒ−２，ミラー２８Ｒ，接眼レンズ３０Ｒの位置関係を保ったまま移動可能である。
【００３３】
つまり、実像の縮小倍率を必要とすることなく、接眼レンズ３０Ｒを眼幅調整の方向（被検者１３の左右方向）に移動させることが可能である。
なお、これらの移動を可能とするために、ユニットＵＬ，ＵＲには、不図示の移動機構が設けられる。この移動機構としては、例えば、双眼鏡や顕微鏡の眼幅調整に用いられるものと同様の移動機構が適用可能である（以上、眼幅調整機能）。
【００３４】
次に、視度調整機能について図５を用いて説明する。
ユニットＵＬは、前記したごとく眼幅調整の方向に移動可能であると共に、その眼幅調整の方向の位置を保ったまま、接眼レンズ３０Ｌのみをその光軸方向に移動させることができる。
よって、接眼レンズ３０Ｌの左右方向の位置とを保ちつつ、接眼レンズ３０Ｌを光軸方向（つまり視度調整の方向）に移動させることができる。
【００３５】
同様に、ユニットＵＲは、前記したごとく眼幅調整の方向に移動可能であると共に、その眼幅調整の方向の位置を保ったまま、接眼レンズ３０Ｒのみをその光軸方向に移動させることができる。
よって、接眼レンズ３０Ｒの左右方向の位置とを保ちつつ、接眼レンズ３０Ｒの光軸方向（つまり視度調整の方向）に移動させることができる。
【００３６】
なお、これらの移動を可能とするために、ユニットＵＬ，ＵＲには、不図示の移動機構が設けられる（以上、視度調整機能）。
なお、以上の画像呈示ユニット１５の各要素には、磁場に影響しない材料（金属、磁性体は避けて、例えば、エンジニアリングプラスチックなど。）が用いられる。
また、画像呈示ユニット１５内の移動機構（不図示）の動力には、磁場に影響しない動力（モータは避けて、例えば、空気圧アクチュエータなど。）が用いられる。
【００３７】
次に、本システムの効果について説明する。
本システムでは、図２に示したように、対物レンズ２０Ｌ，２０Ｒが頭部コイル１４の外部に配置され、頭部コイル１４の内部に配置されるのは接眼レンズ３０Ｌ，３０Ｒのみとなる。よって、被検者１３の身体の周囲に空間が確保され、被検者１３に対し不必要な刺激が与えられる可能性は低くなる。
【００３８】
また、対物レンズ２０Ｌ，２０Ｒが頭部コイル１４の外部に配置されるので、対物レンズ２０Ｌ，２０Ｒに入射する光束が被検者１３の被服や身体によって蹴られる可能性も低下する。よって、対物レンズ２０Ｌ，２０Ｒの視野（液晶ディスプレイ１６Ｌ，１６Ｒ側の視野）を広く確保できる。
したがって、液晶ディスプレイ１６Ｌ，１６Ｒのサイズを大きくし、被検者１３に呈示する検査用画像の解像度を高めることができる。その結果、臨場感が高まる。
【００３９】
しかも、対物レンズ２０Ｌ，２０Ｒの配置箇所は、頭部コイル１４の外部であるものの、ボア１１の内部なので、ボア１１の外部とされた場合よりも、対物レンズ２０Ｌ，２０Ｒと接眼レンズ３０Ｌ，３０Ｒとの距離を短くでき、対物レンズ２０Ｌ，２０Ｒの焦点距離を短くすることができる。よって、対物レンズ２０Ｌ，２０Ｒのサイズをコンパクトに収めることができる、対物レンズ２０Ｌ，２０Ｒのアライメントが容易になる、などの利点がある。
【００４０】
また、対物レンズ２０Ｌ，２０Ｒを頭部コイル１４とボア１１との間隙に配置する場合、その取り付けが容易であるという利点もある（頭部コイル１４に取り付けることができる。）。
また、画像呈示ユニット１５には、左眼用の光学系（接眼レンズ３０Ｌ，対物レンズ２０Ｌ）と右眼用の光学系（接眼レンズ３０Ｒ，対物レンズ２０Ｒ）とがそれぞれ用意されるので、検査用画像を被検者１３の左右の眼にそれぞれ呈示することができる。このように両方の眼に検査用画像を呈示すれば、片方の眼に対し不必要な刺激が与えられることを防げる。
【００４１】
また、本システムでは、左眼用の対物レンズ２０Ｌに入射する光束と右眼用の対物レンズ２０Ｒに入射する光束とが光路を一部共有しており、その共有箇所がボア１１の開口部１１ａの近傍Ｅ３（図３参照）なので、図４に示すとおり限られた幅Ｅ４しかないボア１１の開口部１１ａからより多くの光線を対物レンズ２０Ｌ，２０Ｒのそれぞれに入射させることができる。
【００４２】
よって、液晶ディスプレイ１６Ｌ，１６Ｒ（図２参照）のサイズをさらに大きくし、さらなる高解像度化を図ることもできる。
また、画像呈示ユニット１５は、眼幅調整機能を有しているので、被検者１３は、自分の左右の視軸に合わせて接眼レンズ３０Ｌ，３０Ｒを配置し、首や頭部を緊張させることなく検査用画像を快適に目視することができる。よって、被検者１３に対する不必要な刺激がさらに抑えられる。
【００４３】
また、画像呈示ユニット１５は、視度調整機構を有しているので、被検者１３は、自分の左右の視度に合わせて接眼レンズ３０Ｌ，３０Ｒを配置し、左右の眼を緊張させることなく検査用画像を快適に目視することができる。よって、被検者１３に対する不必要な刺激がさらに抑えられる。
また、本システムには、左眼用の液晶ディスプレイ（液晶ディスプレイ１６Ｌ）と右眼用の液晶ディスプレイ（液晶ディスプレイ１６Ｒ）とがそれぞれ備えられるので、両者に対し視差のある画像を表示すれば、被検者１３に対し立体画像を呈示することもできる。よって、さらに高い臨場感を得ることもできる。
【００４４】
（その他）
なお、本システムでは、対物レンズ２０Ｌ，２０Ｒと接眼レンズ３０Ｌ，３０Ｒとをユニット化（画像呈示ユニット１５）すると共にその取り付け箇所を頭部コイル１４としたが、両者を分離すると共に、接眼レンズ３０Ｌ，３０Ｒの取り付け箇所を頭部コイル１４の側に、対物レンズ２０Ｌ，２０Ｒの取り付け箇所をボア１１の側にしてもよい。少なくとも、図２の状態（被検者１３がボア１１内に搬送された状態）で必要な光路が確実に形成されるよう、各要素が各部に位置合わせされた上で取り付けられればよい。但し、対物レンズ２０Ｌと接眼レンズ３０Ｌの位置合わせ、対物レンズ２０Ｒと接眼レンズ３０Ｒとの位置合わせを確実にするためには、予め両者がユニット化されていることが好ましい。
【００４５】
なお、上記説明では、ユニットＵＬは、視度調整のために接眼レンズ３０Ｌをその光軸方向に移動させるとしたが、第二群２０Ｌ−２のみをその光軸方向に移動させてもよい。同様に、ユニットＵＲは、視度調整のために接眼レンズ３０Ｒをその光軸方向に移動させるとしたが、第二群２０Ｒ−２のみをその光軸方向に移動させてもよい。
また、画像呈示ユニット１５には、視度調整機能及び眼幅調整機能が付与されているが、両方の機能又は一方の機能を省略することもできる。
【００４６】
また、本システムは、両眼に対し検査用画像を呈示するものであるが、本発明は、片眼にのみ検査用画像を呈示するシステムにも適用可能である。
また、各図では、ボア１１のうち被検者１３の足側の開口部１１ａに表示画面１６Ｌ’，１６Ｒ’を向けたシステム（つまり、液晶ディスプレイ１６Ｌ，１６Ｒが被検者１３の足側に配置されたシステム）を示したが、本発明は、液晶ディスプレイ１６Ｌ，１６Ｒが被検者１３の頭側に配置されたシステムにも適用可能である。その場合、対物レンズ２０Ｌ，２０Ｒ，及び各ミラーの配置位置は、図２、図３、図５の被検者１３の視軸に関し対称な配置位置となる。
【図面の簡単な説明】
【００４７】
【図１】本実施形態のＭＲＩ検査システムの概略外観図である。
【図２】被検者１３がボア１１内に搬送された状態のＭＲＩ検査システムの概略断面図（ボア１１の母線に沿って切断した断面図）である。
【図３】被検者１３がボア１１内に搬送された状態で被検者１３の顔前から画像呈示ユニット１５の内部を見た光学系の配置図である。
【図４】被検者１３がボア１１内に搬送された状態のＭＲＩ検査システムの概略断面図（ボア１１の母線に垂直な面に沿って切断した断面図）である。
【図５】被検者１３がボア１１内に搬送された状態で被験者１３の横方向から画像呈示ユニット１５の内部を見た光学系の配置図である。
【符号の説明】
【００４８】
１１  ボア
１２  支持台
１３  被検者
１４  頭部コイル
１５  画像呈示ユニット
１６Ｌ，１６Ｒ  液晶ディスプレイ
１６Ｌ’，１６Ｒ’  表示画面
１５Ａ  対物部
１５Ｂ  接眼部
２０Ｌ，２０Ｒ  対物レンズ
３０Ｌ，３０Ｒ  接眼レンズ
２０Ｌ−１，２０Ｒ−１  第一群
２０Ｌ−２，２０Ｒ−２  第二群
２４Ｌ，２４Ｒ，２５Ｌ，２５Ｒ，２６Ｌ，２６Ｒ，２７Ｌ，２７Ｒ，２８Ｌ，２８Ｒ  ミラー
ＵＬ，ＵＲ  ユニット
【図１】
2005192908.tif 000003
【図２】
2005192908.tif 000004
【図３】
2005192908.tif 000005
【図４】
2005192908.tif 000006
【図５】
2005192908.tif 000007